(57)【要約】【課題】ＧＰＳ等を利用して地球上での自己の位置に関する情報を、撮影して得られた画像情報と共に記録媒体に対応付けて記録するようにしたこの種カメラに於いて、カメラの利用場面或いは使用目的に応じて、撮影位置計測手段の動作モードを適宜選択できるカメラを提供する。【解決手段】人工衛星から送信されたデータを受信し、該受信したデータに基づいて地球上での自己の位置を計測する位置計測手段と、光学系を介して結像された被写体像に基づく画像情報と上記位置計測手段により計測された自己の位置に関する位置情報とを対応付けて所定の記録媒体に記録する記録手段と、上記位置計測手段が常時計測を行なう常時動作モードと、上記位置計測手段が撮影記録時に計測を行なう撮影記録時動作モードと、上記位置計測手段に対する入力指示時のみ計測を行なう指示時動作モードのうち何れか一のモードで計測動作を行なうように制御する制御手段を備える。【選択図】図２４
2008141775.tif 000002
【特許請求の範囲】
【請求項１】
人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを対応付けて所定の記録媒体に記録する記録手段と、
上記位置計測手段が常時計測を行なう常時動作モードと、上記位置計測手段が撮影記録時に計測を行なう撮影記録時動作モードと、上記位置計測手段に対する入力指示時のみ計測を行なう指示時動作モードのうち何れか一のモードで計測動作を行なうように制御する制御手段を備えたことを特徴とするカメラ。
【発明の詳細な説明】
【技術分野】
【０００１】
本発明は、撮影して得られた画像情報と共に人工衛星を利用して得た地球上での自己の位置に関する情報を所定の記録媒体に記録するようにしたカメラに関する。
【背景技術】
【０００２】
従来、ＧＰＳ（Global Positioning System:グローバル・ポジショニング・システム）等を利用して地球上での自己の位置に関する情報を、撮影して得られた画像情報と共に写真フィルムや磁気或いは半導体メモリなどの記録媒体に記録するようにしたカメラは種々知られている。例えば、特開平７−１０７３５１号、同７−６４１６９号、同５−１７６２６８号、同６−３２６９０２号、同６−２６１２４４号、同６−６７２９１号、同６−６７２８２号、同６−６７２９３号、同５−１５８８８７号、同７−７７７３７号、同６−１１０１１７号、同５−２２４２９０号、同６−３１８２３１号公報等である。
【０００３】
これらのシステムを図３２に概念的に示す。即ち、撮影して得た画像情報を磁気或いは半導体メモリなどの記録媒体に記録する電子カメラＡは、ＧＰＳセンサーユニットＢを接続しており、該ＧＰＳセンサーユニットＢは複数の人工衛星Ｃ、Ｄ、Ｅとそれぞれ通信を行うようになされている。そして、該ＧＰＳセンサーユニットＢは各人工衛星Ｃ、Ｄ、Ｅとの通信の結果、現在の自己の地球上での位置に関する情報を計算して求め、この求めた自己の位置に関する情報、具体的には緯度、経度、時刻、高度、更には移動している場合には速度等の情報を電子カメラＡに出力する。電子カメラＡでは、この入力された様々な自己の位置に関する情報を当該位置において撮影記録された画像情報と共に上記記録媒体に対応付けて記録するようになされている。
【発明の開示】
【発明が解決しようとする課題】
【０００４】
上記した如く、図３２に代表されるようなＧＰＳ等を利用したカメラは種々検討乃至提案されているが、これらのものを商品として現実化するに当たっては、別に解決しなければならない問題を数多く抱えている。
【０００５】
即ち、例えば図３２におけるＧＰＳセンサーユニットＢが自己の位置を計算して求めるためには複数の人工衛星と交信をしなければならない。撮影した画像情報を記録媒体に記録するとき、当該位置の情報がその時点でタイムリーに取得することが望ましいが、実際にその位置が確定するまでにはかなりの時間を要する場合があり、これにより電力消費が多くなるという問題を生ずる。
【０００６】
本発明は、上記した事情に鑑みなされたものであり、ＧＰＳ等を利用して地球上での自己の位置に関する情報を、撮影して得られた画像情報と共に記録媒体に対応付けて記録するようにしたこの種カメラに於いて、カメラの利用場面或いは使用目的に応じて、撮影位置計測手段の動作モードを適宜選択できるカメラを提供することを目的とする。
【課題を解決するための手段】
【０００７】
前述の課題を解決するため、本発明によるカメラは、次のような特徴的な構成を採用している。
【０００８】
人工衛星から送信されたデータを受信し、該受信したデータに基づいて地球上での自己の位置を計測する位置計測手段と、光学系を介して結像された被写体像に基づく画像情報と上記位置計測手段により計測された自己の位置に関する位置情報とを対応付けて所定の記録媒体に記録する記録手段と、上記位置計測手段が常時計測を行なう常時動作モードと、上記位置計測手段が撮影記録時に計測を行なう撮影記録時動作モードと、上記位置計測手段に対する入力指示時のみ計測を行なう指示時動作モードのうち何れか一のモードで計測動作を行なうように制御する制御手段を備える。
【発明の効果】
【０００９】
ＧＰＳ等を利用して地球上での自己の位置に関する情報を、撮影して得られた画像情報と共に記録媒体に対応付けて記録するようにしたこの種カメラに於いて、カメラの利用場面或いは使用目的に応じて、撮影位置計測手段の動作モードを適宜選択できるカメラを提供できる。
【発明を実施するための最良の形態】
【００１０】
次に、本発明の実施の形態について図面を参照しながら説明することにより、本発明をより明らかにする。
【００１１】
図１は、本発明によるカメラの第１の実施の形態を示すものであって、特に撮影した画像情報をディジタルデータの形で記録媒体に記録するようにしたディジタルスチルカメラへの適用例を示すその構成ブロック図である。
【００１２】
被写体光は光学系（レンズ）１を介して、撮像手段であるＣＣＤ等の固体撮像素子２に結像し，ここで電気信号に変換されて撮像プロセス回路３に出力される。撮像プロセス回路３では、周知のガンマー補正やホワイトバランス等の各種処理が施され、この後Ａ／Ｄ変換回路４に出力されてディジタル画像データとなり、フレームメモリ５に一旦書き込まれる。
【００１３】
フレームメモリ５の書き込みと読み出しは、システムコントロール１８からの制御を受けたメモリコントロール１７により制御される。フレームメモリ５から読み出された画像データは、ディジタルプロセス回路１２において、キャラクタジェネレータ１９から出力されたキャラクタデータが付加されてディジタル処理された後、Ｄ／Ａ変換回路１３でアナログ画像信号に変換される。変換されたアナログ画像信号は、ビデオバッファ１４で増幅された後、電子ビューファインダ（ＥＶＦ）１５と外部モニタを接続する外部端子１６の双方に出力される。
【００１４】
撮影して得られた静止画像データの記録に当たっては、フレームメモリ５から読み出された画像データが、ＤＣＴ／ＩＤＣＴ（離散コサイン変換／逆離散コサイン変換）回路６
で直交変換され、得られた直交係数がコーダ／デコーダ回路７で量子化された後、例えばエントロピー符号化され、ＪＰＥＧ方式等に準拠した圧縮方式で圧縮処理が施される。こうして圧縮処理された画像データは、記録媒体としてのＩＣメモリカードＡ９やＩＣメモリカードＡ１０に記録される。補助メモリ８は、主にコーダ／デコーダ回路７において画像データの圧縮処理が施されるときの補助的なメモリとして使用される。
【００１５】
尚、本実施の形態のカメラにおいては、画像情報の記録媒体として２つのＩＣメモリカードＡ９及びＢ１０が同時に着脱できるように、スロットが２つ設けられて構成されている。これは、後述する本発明における位置計測手段としてのＧＰＳセンサユニット２４を当該カメラに接続するにあたって、記録媒体としてのＩＣメモリカードを接続しながら、何れか一方のスロットをＧＰＳセンサユニット２４の接続スロットとして利用することを考慮したためである。従って、ＧＰＳセンサユニット２４を内蔵固定化したり、或いは別に接続方法を考慮すれば、単一のスロットで一つのＩＣメモリカードのみを着脱自在となるように構成しても良く、又、記録媒体自体を予め内蔵固定しておいても良い。
【００１６】
このＩＣメモリカードＡ９やＩＣメモリカードＢ１０に記録された静止画像データの再生に当たっては、ＩＣメモリカードＡ９やＩＣメモリカードＢ１０から読み出された画像データが、コーダ／デコーダ回路７とＤＣＴ／ＩＤＣＴ回路６の処理を介して伸長処理され、フレームメモリ５に一旦書き込まれる。フレームメモリ５から読み出された画像データは、ディジタルプロセス回路１２、Ｄ／Ａ変換回路１３及びビデオバッファ１４を経て、電子ビューファインダ（ＥＶＦ）１５と外部モニタを接続する外部端子１６の双方に出力され、所望の画像を再生表示することができる。
【００１７】
上記システムコントロール１８は、データバスＡ１１を介してデータを授受すると共に、カメラの全体動作を制御する。例えば、撮影コマ数やカメラの動作モード等を表示するＬＣＤ等よりなる表示部２０の表示を制御したり、操作部２１からの各入力操作に基づいてカメラの動作を制御する。システムコントロール１８は又、キャラクタジェネレータ１９を制御して所望のキャラクタ情報、例えば、撮影コマ数等の出力を制御したり、データバスＢ２２とデータ入出力部２３を介して外部装置、例えば、接続されたＧＰＳセンサユニット２４とのデータ通信制御を行う。
【００１８】
而して、システムコントロール１８は、更に図２に示す如く、操作部２１からの入力操作に基づいて撮影画像データの記録媒体に対する記録を制御する画像情報記録制御部１８ａと、上記ＧＰＳセンサユニット２４において計測して求められた当該カメラが位置する現在の位置に関する情報、具体的には緯度、経度、時刻、高度、更には移動している場合には速度等の情報の記録媒体に対する記録を制御する位置情報記録制御部１８ｂと、そのＧＰＳセンサユニット２４の動作を制御する位置計測部制御部１８ｃとを有している。
【００１９】
図３は、上記した図１のカメラ構成における、電源の供給処理を含む基本的な処理のシーケンスを示したフローチャートである。
【００２０】
ステップＳ３０１のパワーオンで本ルーチンはスタートし、先ず、ステップＳ３０２でカメラの初期化が行われた後、ステップＳ３０３でＧＰＳセンサユニット２４の当該カメラに対する接続状態を検出する。ここで、ＧＰＳセンサユニット２４が図１のＩＣメモリカードスロット部、或いはデータ入出力部２３に接続されているときにはステップＳ３０４に進んでＧＰＳセンサユニット２４の初期化を行い、ステップＳ３０５でその位置計測動作が可能であることを示すためのフラグをセットし、ステップＳ３０６に進む。一方、ステップＳ３０３で、ＧＰＳセンサユニット２４が接続されていないときにはステップＳ３０７に進んでその位置計測動作が不可能であることを示すべくフラグをクリアし、ステップＳ３０６に進む。尚、位置計測手段としてのＧＰＳセンサユニット２４が予めカメラ
に内蔵されている場合には、上記ステップＳ３０３は省略できる。
【００２１】
次に、ステップＳ３０６では、撮影記録動作を開始するためのシャッターボタンが押されたか否かが判断され、このシャッターボタンが押された場合には、ステップＳ３０８の撮影モードに進んで所定の撮影記録動作が実行され、又、押されない場合には、ステップＳ３０９に進んで各種撮影記録動作以外の入力動作が可能な入力待機モードとなり、ステップＳ３１０でのパワーオフ処理の指示がなされるまでステップＳ３０６に戻って、以上の処理を繰り返す。そして、ステップＳ３１０でパワーオフの指示がなされたと判断されたときには、ステップＳ３１１でパワーオフの処理を行い、ステップＳ３１２で終了する。
【００２２】
図４は、上記した図３のフローチャートにおけるステップＳ３０８のサブルーチン処理を示したものである。
【００２３】
即ち、ステップＳ４０２で、既述のＧＰＳセンサユニット２４のフラグのセット状況が判断され、このフラグがセットされている場合には、ステップＳ４０３で、ＧＰＳセンサユニット２４に対して現在の位置に関する情報の出力が要求される。そして、このフラグがセットされていない場合には、ステップＳ４０８に進んでＧＰＳセンサユニット２４がセットされていない旨の表示を表示部２０等を利用して行い、ステップＳ４０６に進み、通常に撮影して、得られた画像情報のみの記録動作が行われる。
【００２４】
上記ステップＳ４０３で、現在の位置に関する情報の出力が要求されると、ステップＳ４０４ではその位置に関する情報の出力状況が監視され、この情報が出力されると、即ち、位置に関する情報が確定して出力されるとステップＳ４０５に進んで、先ず、位置に関する情報の記録が記録媒体に対して行われる。この後、ステップＳ４０６で、通常に撮影して得られた画像の記録が記録媒体に対して行われ、ステップＳ４０９で撮影記録動作を終了する。このとき、記録媒体においては、位置に関する情報と撮影して得られた画像情報とが対応付けて記録される。具体的には、例えば、この位置に関する情報が、撮影して得られた画像情報の属性情報たるヘッダー情報として、ＤＯＳ（Disk Operating System ） 等の所定のフォーマットに基づき記録されることにより対応付けることが可能となる
。
【００２５】
一方、ステップＳ４０４において、位置に関する情報が出力されないときには、ステップＳ４０７でその旨の表示を図５に示す如く表示部２０或いはＥＶＦ１５等を利用して行い、画像情報の記録動作を禁止して（ステップＳ４０６を飛ばして）ステップＳ４０９に進むが、このとき、位置に関する情報が確定して出力されるまでその表示を継続すべくステップＳ４０４に戻るようにしても良い。この例の場合も、位置に関する情報が出力されて、始めて画像情報の記録が可能となる。尚、上記ステップＳ４０７における表示の代わりに、その報知手段として音声を出力するようにしても良い。
【００２６】
上記第１の実施の形態によれば、撮影した画像情報の記録に当たって必ず当該撮影地点での位置に関する情報の記録がその画像情報と対応付けて行われるため、撮影者が当該撮影の場所から位置情報未確定のまま移動してしまい、移動後に確定した位置情報を移動後の撮影地点での位置情報と誤認識をしたり、又、逆に撮影後においても位置情報が確定するまでは当該撮影場所から移動ができないといったこと等が解消される。
【００２７】
次に、本発明の第２の実施の形態について図６を参照しながら説明する。
図６は、上記第１の実施の形態における図３のステップＳ３０８のサブルーチン処理（撮影モード処理）に対応した処理の詳細を示したフローチャートであり、特に、上記図４に示した処理のものと異なる点は、位置に関する情報が確定していない場合であっても、
撮影した画像情報の記録を優先的に行わせている点にある。尚、構成については、上記図１及び図２に示した構成ブロック図が適用できる。
【００２８】
即ち、ステップＳ６０１で本ルーチンがスタートし、ステップＳ６０２で、既述のＧＰＳセンサユニット２４のフラグのセット状況が判断され、このフラグがセットされている場合には、ステップＳ６０３で、ＧＰＳセンサユニット２４に対して現在の位置に関する情報の出力が要求される。そして、このフラグがセットされていない場合には、ステップＳ６０８に進んでＧＰＳセンサユニット２４がセットされていない旨の表示を表示部２０等を利用して行い、ステップＳ６０７に進み、通常の撮影して得られた画像情報のみの記録動作が行われる。
【００２９】
一方、上記ステップＳ６０３で、現在の位置に関する情報の出力が要求されると、ステップＳ６０４ではその位置に関する情報の出力状況が監視され、この情報が出力されると、即ち、位置に関する情報が確定して出力されるとステップＳ６０５に進んで、先ず、位置に関する情報の記録が記録媒体に対して行われる。この後、ステップＳ６０７で、通常に撮影して得られた画像の記録が記録媒体に対して行われ、ステップＳ６０９で撮影記録動作を終了する。このとき、記録媒体においては、その位置に関する情報と撮影して得られた画像情報とが対応付けて記録される。
【００３０】
一方、上記ステップＳ６０４において、位置に関する情報が確定せずに出力されないときは、ステップＳ６０６に進んで、位置に関する情報の準備ができていない旨の表示を表示部２０或いはＥＶＦ１５等を利用して行い、その後はステップＳ６０７に進み、通常の撮影して得られた画像情報のみの記録動作が行われる。
【００３１】
このように、上記第２の実施の形態によれば、位置に関する情報が撮影の時点で準備できていなくても撮影記録動作を優先的に行わせることができるため、折角のシャッターチャンスを逃さないというメリットがある。
【００３２】
次に、本発明の第３の実施の形態について図７を参照しながら説明する。
図７は、上記第１の実施の形態における図３のステップＳ３０８のサブルーチン処理（撮影モード処理）に上記図６に示した処理を適用させたときの、図３のステップＳ３０９のサブルーチン処理（入力待機モード処理）の詳細を示したフローチャートである。本実施の形態においては、特に、位置に関する情報が確定していない場合であっても、撮影した画像情報の記録を優先的に行わせると共に、更に撮影後の入力待機モードにおいては、その位置に関する情報が確定した後、既に記録された該当する画像情報に対応付けてその位置に関する情報を記録させる点に特徴を有している。尚、構成については、上記図１及び図２に示した構成ブロック図が適用できる。
【００３３】
即ち、ステップＳ７０１で本ルーチンがスタートし、ステップＳ７０２で位置情報の記録されていない記録画像情報の有無が検出される。ここで位置情報の記録されていない画像情報が検出されると、ステップＳ７０３に進んで、位置情報が確定したか否かが判断され、確定していれば、その位置情報が、ステップＳ７０４に進んで、既に記録された画像情報に対応付けて記録される。
【００３４】
ステップＳ７０４で位置情報の記録が行われると、ステップＳ７０５で、未だ他に位置情報が記録されていない記録画像情報が有るか否かが検出され、他に有れば、ステップＳ７０４に戻って、位置情報が記録されていない記録画像情報が無くなるまでこのルーチンを繰り返し、他に無ければ、ステップＳ７０６に進んで本ルーチンを終了する。
【００３５】
尚、上記ステップＳ７０２において、位置情報の記録されていない記録画像情報が無け
れば、ステップＳ７０６に進んで本ルーチンを終了し、又、上記ステップＳ７０３において、位置情報が確定していなければ同様にステップＳ７０６に進んで本ルーチンを終了する。
【００３６】
上記第３の実施の形態によれば、取り敢えず撮影記録動作は優先的に許可されるためシャッターチャンスを逃すことはなくなり、又一方で、位置に関する情報もその確定後に既記録の画像情報に対応づけて記録されるため、位置に関する情報の記録洩れがなくなる。
【００３７】
次に、本発明の第４の実施の形態について図８を参照しながら説明する。
図８は、上記第１の実施の形態における図３のステップＳ３０８のサブルーチン処理（撮影モード処理）に対応した処理の詳細を示したフローチャートであり、特に、上記図４に示した処理のものと異なる点は、位置に関する情報が確定していない場合であっても、撮影した画像情報の記録は優先的に行わせ、且つ、その後に続いて行われる画像情報の記録は、先に撮影した画像情報の位置に関する情報の記録が確定して行われるまでこれを禁止している点にある。尚、構成については、上記図１及び図２に示した構成ブロック図が適用できる。
【００３８】
即ち、ステップＳ８０１で本ルーチンがスタートし、ステップＳ８０２で、先ず、撮影した画像情報の記録動作が実行される。そして、ステップＳ８０３でＧＰＳセンサユニット２４のフラグのセット状況が判断され、このフラグがセットされている場合には、ステップＳ８０７で、そのＧＰＳセンサユニット２４に対して現在の位置に関する情報の出力が要求される。
【００３９】
一方、このフラグがセットされていない場合には、ステップＳ８０４に進んでＧＰＳセンサユニット２４を装着すべき旨の表示を表示部２０等を利用して行い、ステップＳ８０５でそのＧＰＳセンサユニット２４の装着状況が判断され、装着されたならばステップＳ８０６に進み、ＧＰＳセンサユニット２４のフラグをセットし、ステップＳ８０７に進む。
【００４０】
ステップＳ８０７において、現在の位置に関する情報の出力が要求されると、ステップＳ８０８では位置に関する情報の出力状況が監視され、この位置に関する情報が出力されると、即ち、これが情報として確定して出力されるとステップＳ８１０に進んで、その位置に関する情報の記録が記録媒体に対して行われ、ステップＳ８１１で本ルーチンを終了する。このとき、記録媒体においては、同様にその位置に関する情報と撮影して得られた画像情報とが対応付けて記録されることになる。
【００４１】
一方、ステップＳ８０８での位置に関する情報の出力状況として、それが確定して出力されなければ、ステップＳ８０９に進んで、位置に関する情報を検出中である旨の表示を表示部２０或いはＥＶＦ１５等を利用して行い、ステップＳ８０８に戻る。結局、既に撮影して記録された画像情報に対応する位置に関する情報が確定して出力されるまでは、このルーチンを抜け出すことが不可能となり、以降の新たな画像情報の撮影記録動作が禁止されることになる。
【００４２】
上記第４の実施の形態によれば、取り敢えず撮影記録動作は優先的に許可されるためシャッターチャンスを逃すことはなくなる。又、位置に関する情報もその確定後に既記録の画像情報に対応づけて記録されるが、このときその位置に関する情報が確定して出力されるまでは以降の新たな撮影記録動作を禁止しているため、誤って、位置に関する情報の記録洩れを引き起こすといったことが極力解消できる。
【００４３】
次に、本発明の第５の実施の形態について図９及び図１０を参照しながら説明する。
【００４４】
図９は、本実施の形態の要部構成を示した図であって、図１のシステムコントロール１８に対応するものである。尚、他の構成部材については、図１に示す構成部材と同一であるのでその説明を省略する。
【００４５】
即ち、システムコントロール１８は、操作部２１からの入力操作に基づいて撮影した画像データの記録媒体に対する記録を制御する画像情報記録制御部１８ａと、上記ＧＰＳセンサユニット２４において計測して求められた当該カメラが位置する現在の位置に関する情報、具体的には緯度、経度、時刻、高度、更には移動している場合には速度等の情報の記録媒体に対する記録を制御する位置情報記録制御部１８ｂと、そのＧＰＳセンサユニット２４の動作を制御する位置計測部制御部１８ｃとを有する他、当該カメラの電源に関する制御を行うためのカメラ電源制御部１８ｄを更に有している。
【００４６】
図１０は、上記図９の構成に基く処理動作を示したフローチャートであって、上記第１の実施の形態における図３のステップＳ３０８のサブルーチン処理（撮影モード処理）に対応した処理の詳細を示しており、特に、上記図４に示した処理のものと異なる点は、位置に関する情報が確定していない場合であっても、撮影した画像情報の記録は優先的に行わせ、且つ、その撮影して記録した画像情報の位置に関する情報が確定して記録されるまでは当該カメラの電源を遮断することを禁止している点にある。
【００４７】
即ち、ステップＳ１００１で本ルーチンがスタートし、ステップＳ１００２で、先ず、撮影した画像情報の記録動作が実行される。そして、ステップＳ１００３でＧＰＳセンサユニット２４のフラグのセット状況が判断され、このフラグがセットされている場合には、ステップＳ１００７で、そのＧＰＳセンサユニット２４に対して現在の位置に関する情報の出力が要求される。
【００４８】
一方、このフラグがセットされていない場合には、ステップＳ１００４に進んでＧＰＳセンサユニット２４を装着すべき旨の表示を表示部２０等を利用して行い、ステップＳ１００５でそのＧＰＳセンサユニット２４の装着状況が判断され、装着されたならばステップＳ１００６に進み、ＧＰＳセンサユニット２４のフラグをセットし、ステップＳ１００７に進む。
【００４９】
ステップＳ１００７において、現在の位置に関する情報の出力が要求されると、ステップＳ１００８では位置に関する情報の出力状況が監視され、この位置に関する情報が出力されると、即ち、これが情報として確定して出力されるとステップＳ１０１１に進んで、その位置に関する情報の記録が既記録の画像情報と対応するように記録媒体に対して行われる。次いで、ステップＳ１０１２で、電源遮断処理用の割り込みの許可が行なわれ、ステップＳ１０１３で本ルーチンを終了する。
【００５０】
一方、ステップＳ１００８での位置に関する情報の出力状況として、それが確定して出力されなければ、ステップＳ１００９に進んで、位置に関する情報を検出中である旨の表示を表示部２０或いはＥＶＦ１５等を利用して行い、続いてステップＳ１０１０で、電源遮断処理用の割り込みの禁止を行って、ステップＳ１００８に戻る。結局、既に撮影して記録された画像情報に対応する位置に関する情報が確定して出力されるまでは、このルーチンを抜け出すことが不可能となり、以降の新たな画像情報の撮影記録動作が禁止され、又、その位置に関する情報が確定して出力されるまでは、電源の遮断処理も確実に禁止されることになる。
【００５１】
上記第５の実施の形態によれば、取り敢えず撮影記録動作は優先的に許可されるためシャッターチャンスを逃すことはなくなる。又、位置に関する情報もその確定後に既記録の
画像情報に対応づけて記録されるが、このときその位置に関する情報が確定して出力されるまでは以降の新たな撮影記録動作を禁止し、更に、その位置に関する情報が確定して出力されるまでは電源の遮断処理も禁止しているため、誤って、或いは不用意に、位置に関する情報の記録洩れを引き起こすといったことが確実に解消できる。
【００５２】
次に、本発明の第６の実施の形態について図１１、図１２及び図１３を参照しながら説明する。
【００５３】
図１１は、本実施の形態の要部構成を示した図であって、図１のシステムコントロール１８及び操作部２１に対応するものである。尚、他の構成部材については、図１に示す構成部材と同一であるのでその説明を省略する。
【００５４】
即ち、システムコントロール１８は、操作部２１からの入力操作に基づいて撮影した画像データの記録媒体に対する記録を制御する画像情報記録制御部１８ａと、上記ＧＰＳセンサユニット２４において計測して求められた当該カメラが位置する現在の位置に関する情報、具体的には緯度、経度、時刻、高度、更には移動している場合には速度等の情報の記録媒体に対する記録を制御する位置情報記録制御部１８ｂと、そのＧＰＳセンサユニット２４の動作を制御する位置計測部制御部１８ｃとを有するほか、操作部２１における位置情報取り込み指示部２１ａからの指示に基いて取り込まれた、現在の位置に関する情報を記憶するための位置情報記憶部１８ｅを更に有している。
【００５５】
図１２及び図１３は、上記図１１の構成に基く各処理の動作を示したフローチャートであって、上記第１の実施の形態における図３のステップＳ３０９のサブルーチン処理（入力待機モード処理）、及び同図のステップＳ３０８のサブルーチン処理（撮影モード）に対応した処理の詳細をそれぞれ示している。
【００５６】
而して、本実施の形態は、特に、操作者が予め位置に関する情報の取り込みを指示してこれを記憶させておき、その後画像情報を撮影して記録するとき乃至は撮影して記録した後、その記憶させておいた位置に関する情報を画像情報に対応付けて記録媒体に記録する点に特徴を有している。
【００５７】
即ち、図１２において、ステップＳ１２０１で本ルーチンがスタートし、ステップＳ１２０２で、ＧＰＳセンサユニット２４のフラグのセット状況が判断され、このフラグがセットされている場合には、ステップＳ１２０４で、そのＧＰＳセンサユニット２４に対して、位置に関する情報の検出要求がなされたか否かが判断される。ここでの判断は、ステップＳ１２０３で操作者が位置情報取り込み指示部２１ａにより現在の位置に関する情報の取り込み指示を行ったか否かが判断されるもので、その取り込み指示がなされた場合には、ステップＳ１２０５で、現在の位置に関する情報の出力が要求されることになる。
【００５８】
ステップＳ１２０５において、現在の位置に関する情報の出力が要求されると、ステップＳ１２０６ではその位置に関する情報の出力状況が監視され、この位置に関する情報が出力されると、即ち、これが情報として確定して出力されるとステップＳ１２０８に進んで、その位置に関する情報の記憶が位置情報記憶部１８ｅに対して行われ、ステップＳ１２１０に進んで本ルーチンを終了する。
【００５９】
一方、ステップＳ１２０６での位置に関する情報の出力状況として、それが確定して出力されなければ、ステップＳ１２０７に進んで、位置に関する情報を検出中である旨の表示を表示部２０或いはＥＶＦ１５等を利用して行い、ステップＳ１２０６に戻る。結局、そのときの位置に関する情報が確定して出力されるまでは、このルーチンを抜け出すことが不可能となり、又、確定して始めて、その位置に関する情報の記憶が可能となる。尚、
上記ステップＳ１２０２で、ＧＰＳセンサユニット２４のフラグがセットされていない場合には、ステップＳ１２０９に進んで、やはり表示部２０或いはＥＶＦ１５等を利用して、ＧＰＳセンサユニット２４が装着されていない旨の表示を行い、ステップＳ１２１０に進んで本ルーチンを終了する。
【００６０】
次に、図１３のルーチンでは、ステップＳ１３０１で本ルーチンがスタートし、ステップＳ１３０２で、先ず、撮影した画像情報の記録動作が実行される。そして、ステップＳ１３０３では、位置情報記憶部１８ｅに、位置に関する情報が記憶されているか否かが判断され、既に記憶されていればステップＳ１３０４に進んで、その位置に関する情報の記録が既記録の画像情報と対応付くようにして記録媒体に記録され、この後ステップＳ１３０６に進んで本ルーチンを終了する。
【００６１】
一方、上記ステップＳ１３０３で、位置に関する情報が位置情報記憶部１８ｅに記憶されていなければ、ステップＳ１３０５に進んで、位置に関する情報が位置情報記憶部１８ｅには記憶されていないことを警告すべく表示し、ステップＳ１３０６に進んで本ルーチンを終了する。
【００６２】
上記第６の実施の形態によれば、位置に関する情報の検出タイミングを操作者に任せ、又、撮影の前に位置に関する情報を検出し、且つ、これを記憶させておくだけで良いため、１か所で多数枚の撮影を行う場合など、撮影の度ごとにいちいち、人工衛星と通信を行うといった位置に関する情報を検出する煩わしさが解消され、使い勝手が向上する。又、撮影記録に当たっては、位置に関する情報を記憶手段から読み出すだけで画像情報と共に記録媒体に位置に関する情報の記録が簡単にできるため、撮影記録時の時間短縮による迅速性、更には、この時間短縮による電源の節約等が期待できる。とりわけ、人工衛星との交信に要する回数が減るため、その分、ＧＰＳセンサユニットに対する給電時間も減少して電源の節約には大きく貢献できる。
【００６３】
次に、本発明の第７の実施の形態について図１４及び図１５を参照しながら説明する。
【００６４】
図１４は、本実施の形態の要部構成を示した図であって、図１のシステムコントロール１８に対応するものである。尚、他の構成部材については、図１に示す構成部材と同一であるのでその説明を省略する。
【００６５】
即ち、システムコントロール１８は、操作部２１からの入力操作に基づいて撮影した画像データの記録媒体に対する記録を制御する画像情報記録制御部１８ａと、上記ＧＰＳセンサユニット２４において計測して求められた当該カメラが位置する現在の位置に関する情報、具体的には緯度、経度、時刻、高度、更には移動している場合には速度等の情報の記録媒体に対する記録を制御する位置情報記録制御部１８ｂと、そのＧＰＳセンサユニット２４の動作を制御する位置計測部制御部１８ｃとを有するほか、時間を計時する計時部１８ｆを更に有している。
【００６６】
図１５は、上記図１４の構成に基く処理動作を示したフローチャートであって、上記第１の実施の形態における図３のステップＳ３０８のサブルーチン処理（撮影モード処理）に対応した処理の詳細を示している。而して、本実施の形態の特徴は、画像情報を先ず撮影記録し、この画像情報の撮影記録時点から、その後の位置に関する情報が確定して記録されるまでの時間を計時して、この計時された時間を併せて記録している点にある。
【００６７】
即ち、ステップＳ１５０１で本ルーチンがスタートし、ステップＳ１５０２で、先ず、撮影した画像情報の記録動作が実行される。そして、ステップＳ１５０３で、上記計時部１８ｆによる計時のためのカウントを開始する。次のステップＳ１５０４では、ＧＰＳセ
ンサユニット２４のフラグのセット状況が判断され、このフラグがセットされている場合には、ステップＳ１５０８で、そのＧＰＳセンサユニット２４に対して現在の位置に関する情報の出力が要求される。尚、上記ステップＳ１５０３の後に、ステップＳ１５１４として、計時部１８ｆによる計時のカウント状態の表示を開始するステップを挿入しても良い。この場合も表示部２０或いはＥＶＦ１５等を利用して行うと良い。（図１６の撮影モード時の表示参照）
【００６８】
ステップＳ１５０４で、ＧＰＳセンサユニット２４のフラグがセットされていない場合には、ステップＳ１５０５に進んでＧＰＳセンサユニット２４を装着すべき旨の表示を表示部２０等を利用して行い、ステップＳ１５０６でそのＧＰＳセンサユニット２４の装着状況が判断され、装着されたならばステップＳ１５０７に進み、ＧＰＳセンサユニット２４のフラグをセットし、ステップＳ１５０８に進む。
【００６９】
ステップＳ１５０８において、現在の位置に関する情報の出力が要求されると、ステップＳ１５０９では位置に関する情報の出力状況が監視され、この位置に関する情報が出力されると、即ち、これが情報として確定して出力されるとステップＳ１５１１に進んで、その位置に関する情報の記録が既記録の画像情報と対応するように記録媒体に対して行われる。次いで、ステップＳ１５１２では、上記ステップＳ１５０３で開始されたカウント動作を終了すると共に、そのカウント結果を同様に記録媒体に対応付けて記録し、ステップＳ１５１３に進んで本ルーチンを終了する。
【００７０】
一方、ステップＳ１５０９での位置に関する情報の出力状況として、それが確定して出力されなければ、ステップＳ１５１０に進んで、位置に関する情報を検出中である旨の表示を表示部２０或いはＥＶＦ１５等を利用して行い、ステップＳ１５０９に戻る。結局、既に撮影して記録された画像情報に対応する位置に関する情報が確定して出力されるまでは、このルーチンを抜け出すことが不可能となり、以降の新たな画像情報の撮影記録動作が禁止されることになる。
【００７１】
上記第７の実施の形態によれば、取り敢えず撮影記録動作は優先的に許可されるためシャッターチャンスを逃すことはなくなる。又、位置に関する情報もその確定後に既記録の画像情報に対応づけて記録されるが、このときその位置に関する情報と共に、その位置に関する情報の記録時点と画像情報の記録時点との時間的ずれもデータとして記録されるため、例えば、移動しながら撮影記録した画像情報についてはより正確な位置に関する情報の推定も可能となる。
【００７２】
上記第７の実施の形態においては、図１６に示す如く、撮影記録モードにおいて、計時部１８ｆによる計時の結果を表示した例を示しているが、撮影記録された画像情報を再生するときの再生モードにおいてもこれを表示するようにしても良い。
【００７３】
即ち、これを図１７に示す再生処理についてのフローチャートを参照しながら説明すると、ステップＳ１７０１で本ルーチンがスタートし、ステップＳ１７０２で、記録された画像情報の再生動作が実行される。そして、ステップＳ１７０３で、再生されている画像情報に時間差情報が記録されているか否かが判断され、これが記録されていれば、ステップＳ１７０４に進んで、時間差情報を図１６の再生モード表示に示す如く表示し、ステップＳ１７０６に進んで本ルーチンを終了する。
【００７４】
ステップＳ１７０３で、時間差情報が記録されていなければ、その旨を表示してステップＳ１７０６に進み、本ルーチンを終了する。
【００７５】
この例によれば、画像情報の再生時に操作者が時間差情報を即座に認識するためのユー
ザインターフェースを提供することが可能となり、移動しながら撮影記録した画像情報についての位置に関する情報の推定も行いやすくなる。
【００７６】
次に、本発明の第８の実施の形態について図１８及び図１９を参照しながら説明する。
【００７７】
図１８は、本実施の形態の要部構成を示した図であって、図１のシステムコントロール１８に対応する部分と該システムコントロール１８に接続されたバッテリー残量検出部２５とから主として構成されている。尚、他の構成部材については、図１に示す構成部材と同一であるのでその説明を省略する。
【００７８】
即ち、システムコントロール１８は、接続されたバッテリー残量検出部２５によるバッテリー２５ａに対してのその残量検出結果を監視するためのバッテリー残量監視部１８ｇと、ＧＰＳセンサユニット２４で求められた位置に関する情報の記録媒体への記録の状況を判別するための記録状況判別部１８ｈと、電源の各回路に対する給電に係る制御を行うための電源コントロール部１８ｉとを有している。
【００７９】
図１９は、上記図１８の構成に基く処理動作を示したフローチャートであって、上記第１の実施の形態における図３のステップＳ３０９のサブルーチン処理（入力待機モード処理）に対応した処理の詳細を示している。而して、本実施の形態の特徴は、バッテリーの残量が減少してカメラが動作限界に達しても、そのときの位置に関する情報の記録が記録媒体に対して未だ完了していないときは、少なくともその位置に関する情報の記録だけは確実に保証すべく、電源系に対して所定の制御を行っている点にある。
【００８０】
即ち、ステップＳ１９０１で本ルーチンがスタートし、ステップＳ１９０２で、バッテリー２５ａの残量を監視する。そして、バッテリー残量が少ない場合にはステップＳ１９０４でその旨を警告表示し、ステップＳ１９０５に進む。一方ステップＳ１９０２で、バッテリー残量が十分にあると確認された場合には、ステップＳ１９０３に進んで本ルーチンからメインルーチンに抜ける。
【００８１】
ステップＳ１９０５では、位置に関する情報の記録媒体に対する記録が未だ行われていない画像情報があるか否かが判断され、未だ位置に関する情報の記録されていない画像情報がある場合には、ステップＳ１９０６に進んで、ＧＰＳセンサユニット２４及び各表示部、並びに位置に関する情報の記録に係る回路系に対しての電源遮断を禁止する処理を行い、更に、ステップＳ１９０７で上記以外の回路系に対しての電源供給を遮断する処理を行って、ステップＳ１９０８に進む。
【００８２】
ステップＳ１９０８では、ＧＰＳセンサユニット２４が通常の動作モードではない上記したような節電モードの状態になっていることをＬＣＤ等を利用して操作者に対して表示し、次のステップＳ１９０９に進む。そして、ステップＳ１９０９で、位置に関する情報が確定して出力されたならば、ステップＳ１９１１に進んで、その位置に関する情報の記録媒体に対する記録を画像情報に対応付けて行い、この後ステップＳ１９１２で、カメラ全体に対する電源の遮断処理を行って、終了する。（ステップＳ１９１３）
【００８３】
上記ステップＳ１９０９において、位置に関する情報が確定して出力されないときは、ステップＳ１９１０に進んで、位置に関する情報を検出中である旨の表示を行い、ステップＳ１９０９に戻る。又、上記ステップＳ１９０５において、位置に関する情報の記録媒体に対する記録が未だ行われていない画像情報がないときには、ステップＳ１９１２にジャンプして、カメラ全体に対する電源の遮断処理を行って、終了する。（ステップＳ１９１３）
【００８４】
上記第８の実施の形態によれば、バッテリーの残量が少なくなり、カメラが動作限界に達したときでも、位置に関する情報の記録が記録媒体に対して未だ行われていない場合には、少なくともこの位置に関する情報の記録動作に関与する回路系に対しては給電を行うことにより、常に、位置に関する情報の記録を保証するものである。従って、残り少ない電源を有効に活用しつつ、位置に関する情報の記録が確実に行える。
【００８５】
次に、本発明の第９の実施の形態について図２０、図２１及び図２２を参照しながら説明する。
【００８６】
図２０は、本実施の形態の要部構成を示した図であって、図１のシステムコントロール１８及び操作部２１に対応するものである。尚、他の構成部材については、図１に示す構成部材と同一であるのでその説明を省略する。
【００８７】
即ち、システムコントロール１８は、操作部２１からの入力操作に基づいて撮影した画像データの記録媒体に対する記録を制御する画像情報記録制御部１８ａと、上記ＧＰＳセンサユニット２４において計測して求められた当該カメラが位置する現在の位置に関する情報、具体的には緯度、経度、時刻、高度、更には移動している場合には速度等の情報の記録媒体に対する記録を制御する位置情報記録制御部１８ｂと、そのＧＰＳセンサユニット２４で計測された位置に関する情報の各記録モードを、操作部２１の位置情報記録モード設定部２１ｂの入力操作に基づいて制御するための位置情報記録モード制御部１８ｊとを有している。
【００８８】
図２１は、上記図２０の構成に基く処理動作を示したフローチャートであって、上記第１の実施の形態における図３のステップＳ３０２のサブルーチン処理（カメラの初期化）に対応した処理の詳細を示している。而して、本実施の形態の特徴は、カメラの利用場面或いは使用目的に応じて、位置に関する情報の記録を優先させるのか、又は、画像情報の記録を優先させるのかのモードを操作者が随時選択して、位置計測手段であるＧＰＳセンサユニットを搭載したカメラの使い勝手を更に向上させている点にある。
【００８９】
即ち、ステップＳ２１０１で本ルーチンがスタートし、ステップＳ２１０２で、各回路系に電源の供給を開始する処理やレンズ（光学系）のリセット処理等を含むカメラのパワーオン処理がなされる。そしてステップＳ２１０３で、操作部２１で入力された位置に関する情報の記録モードの検出を行い、ステップＳ２１０４で、そのモードが、位置情報優先モード（位置に関する情報が確定するまでは画像情報の記録媒体への記録を禁止するモード）であったときには、ステップＳ２１０５に進んで、当該カメラの記録モードをその位置情報優先モードに設定する。
【００９０】
又、上記ステップＳ２１０４で、そのモードが、画像情報優先モード（位置に関する情報が未確定の状態にあっても画像情報の記録媒体への記録を優先的に行い、且つ、当該位置情報が確定後、対応すべき既記録の画像情報に対応付けてその位置に関する情報の記録を行うモード）であったときには、ステップＳ２１０６に進んで、当該カメラの記録モードをその画像情報優先モードに設定し、ステップＳ２１０７で終了する。
【００９１】
図２２は、カメラの動作中における、上記位置に関する情報の記録モードの変更設定の処理を示したフローチャートであって、上記第１の実施の形態における図３のステップＳ３０９のサブルーチン処理（入力待機モード）に対応した処理の詳細を示している。
【００９２】
即ち、ステップＳ２２０１で本ルーチンがスタートし、ステップＳ２２０３で、位置に関する情報の記録モードの変更が有ったか否かを判断する。ここでは、ステップＳ２２０２での、操作部２１の位置情報記録モード設定部２１ｂからの入力の有無を判断すること
になる。そのステップＳ２２０３で、位置に関する情報の記録モードの変更が有った場合には、ステップＳ２２０４に進んで、そのモードが位置情報優先モードであるか否かを判断し、そうであるときにはステップＳ２２０５に進んで、当該カメラの記録モードをその位置情報優先モードに設定する。
【００９３】
又、ステップＳ２２０４でその記録モードが位置情報優先モードでないときには、ステップＳ２２０６に進んで、当該カメラの記録モードを画像情報優先モードに設定し、ステップＳ２２０７で本ルーチンを終了するが、上記ステップＳ２２０３で、位置に関する情報の記録モードの変更がなかったときには、同様にステップＳ２２０７にジャンプして本ルーチンを終了する。
【００９４】
上記第９の実施の形態によれば、操作者は、そのときのカメラの利用場面或いは使用目的に応じて、位置に関する情報の正確性を要求する撮影記録の場面では位置情報優先モードを選択し、又、シャッターチャンス或いは速写性等を要求する撮影記録の場面では画像情報優先モードを選択できるので、位置計測手段（例えば、ＧＰＳセンサユニット）を搭載したカメラの使い勝手が更に向上する。
【００９５】
次に、本発明の第１０の実施の形態について図２３、図２４及び図２５を参照しながら説明する。
【００９６】
図２３は、本実施の形態の要部構成を示した図であって、図１のシステムコントロール１８及び操作部２１に対応するものである。尚、他の構成部材については、図１に示す構成部材と同一であるのでその説明を省略する。
【００９７】
即ち、システムコントロール１８は、操作部２１の位置計測部動作モード設定部２１ｃからの入力操作に基づいて、ＧＰＳセンサユニット２４の動作モードを制御するための位置計測部動作モード制御部１８ｋと，そのＧＰＳセンサユニット２４に対する給電を制御するための位置計測部電源制御部１８ｌとを有している。
【００９８】
図２４は、上記図２３の構成に基く処理動作を示したフローチャートであって、上記第１の実施の形態における図３のステップＳ３０２のサブルーチン処理（カメラの初期化）に対応した処理の詳細を示している。而して、本実施の形態の特徴は、カメラの利用場面或いは使用目的に応じて、位置計測手段である、例えばＧＰＳセンサユニットに対する動作モードを操作者が随時選択することにより、カメラの勝手を更に向上させている点にある。
【００９９】
即ち、ステップＳ２４０１で本ルーチンがスタートし、ステップＳ２４０２で、各回路系に電源の供給を開始する処理やレンズ（光学系）のリセット処理等を含むカメラのパワーオン処理がなされる。そしてステップＳ２４０３で、ＧＰＳセンサユニットに対して入力された動作モードの検出を行い、ステップＳ２４０４で、そのモードが常時動作モード（ＧＰＳセンサユニットが常時計測を行うモード）であるか否かを判断する。ここで、常時動作モードであると判断された場合には、ステップＳ２４０５に進んで、当該ＧＰＳセンサユニットに対する動作モードとして常時動作モードを設定する。
【０１００】
一方、ステップＳ２４０４において、入力されたモードが常時動作モードでなかった場合には，ステップＳ２４０６で、そのモードが記録時動作モード（ＧＰＳセンサユニットが撮影記録時にのみ計測を行うモード）であるか否かを判断する。ここで、記録時動作モードであると判断された場合には、ステップＳ２４０７に進んで、当該ＧＰＳセンサユニットに対する動作モードとして記録時動作モードを設定する。
【０１０１】
そして、ステップＳ２４０６において、入力されたモードが記録時動作モードでなかった場合には、ステップＳ２４０８で、当該ＧＰＳセンサユニットに対する動作モードとして、残りのモードである指示時動作モード（ＧＰＳセンサユニットに対する指示時のみ計測を行うモード）を設定し、ステップＳ２４０９で本ルーチンを終了する。
【０１０２】
図２５は、カメラの動作中における、上記ＧＰＳセンサユニットに対する動作モードの変更設定の処理を示したフローチャートであって、上記第１の実施の形態における図３のステップＳ３０９のサブルーチン処理（入力待機モード）に対応した処理の詳細を示している。
【０１０３】
即ち、ステップＳ２５０１で本ルーチンがスタートし、ステップＳ２５０３で、ＧＰＳセンサユニットに対する動作モードの変更が有ったか否かを判断する。ここでは、ステップＳ２５０２での、操作部２１の位置計測部動作モード設定部２１ｃからの入力の有無を判断することになる。そのステップＳ２５０３で、動作モードの変更が有った場合には、ステップＳ２５０４に進んで、そのモードが常時動作モードであるか否かを判断し、そうであるときにはステップＳ２５０５に進んで、当該ＧＰＳセンサユニットの動作モードを常時動作モードに設定する。
【０１０４】
又、ステップＳ２５０４でその動作モードが常時動作モードでないときには、ステップＳ２５０６に進んで、当該ＧＰＳセンサユニットの動作モードが記録時動作モードであるか否かを判断し、そうであるときにはステップＳ２５０７に進んで、当該ＧＰＳセンサユニットの動作モードを記録時動作モードに設定する。
【０１０５】
そして、上記ステップＳ２５０６において、その動作モードが記録時動作モードでなかったときには、ステップＳ２５０８に進んで、当該ＧＰＳセンサユニットに対する動作モードとして、残りのモードである指示時動作モードを設定し、ステップＳ２５０９で本ルーチンを終了する。尚、上記ステップＳ２５０３において、動作モードの変更がなされなかったときには、同様にステップＳ２５０９にジャンプして本ルーチンを終了する。
【０１０６】
上記第１０の実施の形態によれば、操作者は、そのときのカメラの利用場面或いは使用目的に応じて、位置計測手段であるＧＰＳセンサユニットの動作モードを適宜選択することができる。即ち、常時動作させる常時動作モードを選択することにより、常に正確な位置に関する情報が得られると共に被写体に対する速写性を得ることができる。又、撮影記録時のみＧＰＳセンサユニットを動作させる記録時動作モードを選択することにより、常時動作モードに比べてカメラの消費電力を抑えることができる。又、指示時のみＧＰＳセンサユニットを動作させる指示時動作モードを選択することにより、消費電力を大幅に抑えつつ、シャッターチャンスにもある程度強いカメラを得ることができる。
【０１０７】
次に、本発明の第１１の実施の形態について図２６、図２７及び図２８を参照しながら説明する。
【０１０８】
図２６は、本実施の形態の要部構成を示した図であって、図１のシステムコントロール１８及び操作部２１に対応するものである。尚、他の構成部材については、図１に示す構成部材と同一であるのでその説明を省略する。
【０１０９】
即ち、システムコントロール１８は、操作部２１からの入力操作に基づいて、ＧＰＳセンサユニット２４の動作モードを制御するための位置計測部動作モード制御部１８ｋと，そのＧＰＳセンサユニット２４に対する給電を制御するための位置計測部電源制御部１８ｌとを有している。そして、操作部２１は更に、電源のオンオフスイッチ２１ｄと、上記位置計測部電源制御部１８ｌについての設定部２１ｅとを有している。
【０１１０】
図２７は、上記図２６の構成に基く処理動作を示したフローチャートであって、上記第１の実施の形態における図３のステップＳ３０２のサブルーチン処理（カメラの初期化）に対応した処理の詳細を示している。而して、本実施の形態の特徴は、カメラの電源スイッチに対するオンオフ動作に関係なく、位置計測手段である、例えばＧＰＳセンサユニットを含めた、位置に関する情報の取得に係わる回路系にのみ常時給電を行なうモードを備えている点にある。
【０１１１】
即ち、ステップＳ２７０１で本ルーチンがスタートし、ステップＳ２７０２で、各回路系に電源の供給を開始する処理やレンズ（光学系）のリセット処理等を含むカメラのパワーオン処理がなされる。そしてステップＳ２７０３で、上記設定部２１ｅで入力された電源のＧＰＳセンサユニットに対する動作モードの検出を行う。
【０１１２】
ステップＳ２７０４で、その設定モードが常時給電モード（カメラの電源スイッチに対するオンオフ動作に関係なく、ＧＰＳセンサユニットを含めた、位置に関する情報の取得に係わる回路系にのみ常時給電を行なうモード）であった場合には、ステップＳ２７０５に進んで、ＧＰＳセンサユニットを含めた所定の回路への電源の遮断処理を禁止するように設定したのち、ステップＳ２７０７に進んで本ルーチンを終了する。
【０１１３】
一方、上記ステップＳ２７０４で、その設定モードが常時給電モードでなかった場合には、ステップＳ２７０６に進んで、ＧＰＳセンサユニットを含めた所定の回路への電源の遮断処理も許可するように設定した後、同様にステップＳ２７０７に進んで本ルーチンを終了する。
【０１１４】
図２８は、上記図２７において、常時給電モードが設定されたカメラのパワーオフ処理についての詳細を示したフローチャートであって、上記第１の実施の形態における図３のステップＳ３１１のサブルーチン処理（パワーオフ処理）に対応している。
【０１１５】
即ち、ステップＳ２８０１で本ルーチンがスタートし、ステップＳ２８０２で、ＧＰＳセンサユニットを含めた所定の回路への電源の遮断処理が禁止されているのか否かが判断される。ここで、それが禁止されていれば、つまり、常時給電モードが設定されていれば、ステップＳ２８０３に進んで、そのＧＰＳセンサユニットを含めた所定の回路以外に対する電源の遮断処理を行った後、ステップＳ２８０４で、当該カメラが常時給電モードに設定されている旨の表示を行い、ステップＳ２８０６に進んで本ルーチンを終了する。
【０１１６】
一方、上記ステップＳ２８０２において、上記した常時給電モードが設定されていなければ、ステップＳ２８０５に進んで、通常の電源遮断処理を行った後、同様にステップＳ２８０６に進んで本ルーチンを終了する。
【０１１７】
上記第１１の実施の形態によれば、カメラの電源が一旦オフされて、ＧＰＳセンサユニットがオフされると、次のカメラの起動時にＧＰＳセンサユニットが正確な位置に関する情報を出力するまでにはかなり時間が掛かり、迅速に撮影記録動作に移れないという問題が生ずるところ、カメラの電源をオフにしても、再起動時には即座にＧＰＳセンサユニットから正確な位置に関する情報を取得できるため、カメラとしての節電を行いつつシャッターチャンスを逃さないというメリットがある。
【０１１８】
次に、本発明の第１２の実施の形態について図２９、図３０及び図３１を参照しながら説明する。
【０１１９】
図２９は、本実施の形態の要部構成を示した図であって、図１のシステムコントロール
１８に対応するものである。尚、他の構成部材については、図１に示す構成部材と同一であるのでその説明を省略する。
【０１２０】
本実施の形態においては、特に、当該カメラに対して、位置計測手段を内蔵したＧＰＳセンサユニット等のデバイス構体をその出力データフォーマットが異なるものとして複数種着脱自在に適用できるようなし、適用されたデバイス構体の出力データフォーマットが如何なる種類又は形式のものであるかを認識することにより、その出力される位置情報データの入力インターフェース部を適宜切り換えて、画像情報と共にこれを対応づけて記録媒体に記録できるようにしている点に特徴を有している。
【０１２１】
即ち、図２９において、システムコントロール１８は、接続されたデバイス構体としてのＧＰＳセンサユニットから出力される位置に関する情報のデータフォーマットを認識するための位置情報出力フォーマット認識部１８ｍと、この認識部１８ｍで認識されたフォーマットの形式を具体的に識別するための位置情報出力フォーマット識別部１８ｎと、位置に関する情報を入力するための位置情報入力部１８ｏと、上記位置情報出力フォーマット識別部１８ｎでの識別結果に基づいて、この位置情報入力部１８ｏに対して当該識別されたフォーマットに整合するように切り換えを行う位置情報入力インターフェース切り換え部１８ｐとを有している。・
【０１２２】
上記図２９に示した構成は、位置に関する情報データの入力部１８ｏの切り換えをシステムコントロール１８内でのソフトウエア処理により実行しているが、本実施の形態では、一部ハードウエアで実施することも可能である。これを以下に説明する。
【０１２３】
即ち、図３０において、システムコントロール１８は、接続されたデバイス構体としてのＧＰＳセンサユニットから出力される位置に関する情報のデータフォーマットを認識するための位置情報出力フォーマット認識部１８ｍと、この認識部１８ｍで認識されたフォーマットの形式を具体的に識別するための位置情報出力フォーマット識別部１８ｎと、この識別部１８ｎでの識別結果に基づいて、当該識別されたフォーマットに整合するようにデータ入出力部２３の位置情報入力インターフェース部２３ａ、或いは、ＰＣカードインターフェース部２６の位置情報入力インターフェース部２６ａに対して切り換えを行う位置情報入力インターフェース切り換え部１８ｐとを有している。この形態では、デバイス構体としてのＧＰＳセンサユニットが、データ入出力部２３、或いはＰＣカードインターフェース部２６を介して接続されていることになる。
【０１２４】
図３１は、上記図２９又は図３０の構成に基く処理動作を示したフローチャートであって、上記第１の実施の形態における図３のステップＳ３０４のサブルーチン処理（位置計測部初期化）に対応した処理の詳細を示している。
【０１２５】
即ち、ステップＳ３１０１で本ルーチンがスタートし、ステップＳ３１０２で、適用されたＧＰＳセンサユニット（位置計測部）のフォーマットを判別する。ここでの判別は、上記した位置情報出力フォーマット認識部１８ｍと、位置情報出力フォーマット識別部１８ｎによる処理が実行される。そして、ステップＳ３１０３で、位置情報入力部１８ｏ、或いは、位置情報入力インターフェース部２３ａ、或いはＰＣカードインターフェース部２６の位置情報入力インターフェース部２６ａに対して入力インターフェースの所定の切り換えが行われ、ステップＳ３１０４で、本ルーチンを終了する。
【０１２６】
上記第１２の実施の形態によれば、カメラに接続されたＧＰＳセンサユニット（位置計測部）の種類等を自動的に認識して識別し、このＧＰＳセンサユニットからの出力フォーマットに適合するようにその入力インターフェース部を切り換えるようにしたので、様々な位置計測部を当該カメラに適用することができ、その汎用性を向上させることができる
。
【０１２７】
尚、本発明においては、上述した各実施の形態における位置に関する情報として、地球上での絶対的な位置を示す位置に関する情報のほかに、ある位置を基準としてその位置に対する相対的な位置を示す情報も位置に関する情報として採用でき、その他、地名情報や、カメラ内に記憶された地図データに照らし合わせて求められた住所等の具体的な位置情報も採用し得るものである。
又、本発明におけるカメラとしては、上記したディジタルスチルカメラ以外に、銀塩フィルムを利用したカメラ等も含まれる。
【０１２８】
尚、上述した各実施の形態の構成要旨及びその具体的効果は次の通りである。
【０１２９】
（１）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを所定の記録媒体に対応付けて記録する記録手段とを備えたカメラにおいて、
上記位置計測手段により計測される自己の位置に関する位置情報が確定するまでは上記記録手段による画像情報の上記記録媒体への記録を禁止するように制御する制御手段を備えたカメラ。
この構成によれば、撮影した画像情報の記録に当たって必ず当該撮影地点での位置に関する情報の記録がその画像情報と対応付けて行われるため、撮影者が当該撮影の場所から位置情報未確定のまま移動してしまい、移動後に確定した位置情報を移動後の撮影地点での位置情報と誤認識をしたり、又、逆に撮影後においても位置情報が確定するまでは当該撮影場所から移動ができないといったこと等が解消される。
【０１３０】
（２）上記カメラは、上記位置情報が確定するまでの未確定状態を表わす報知手段を更に備えた（１）のカメラ。
この構成によれば、操作者がその時点において、位置に関する情報の準備ができているのかいないのかを明確に撮影記録前に把握できるので、取扱い上での操作ミスが減り、カメラとしての使い勝手が向上する。
【０１３１】
（３）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを対応付けて所定の記録媒体に記録する記録手段とを備えたカメラにおいて、
上記位置計測手段により計測される自己の位置に関する位置情報が未確定の状態にあっても上記記録手段による画像情報の上記記録媒体への記録を優先的に行うように制御する制御手段を備えたカメラ。
この構成によれば、位置に関する情報が撮影の時点で準備できていなくても撮影記録動作を優先的に行わせることができるため、折角のシャッターチャンスを逃さないという効果がある。
【０１３２】
（４）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを所定の記録媒体に対応付けて記録する記録手段とを備えたカメラにおいて、
上記位置計測手段により計測される自己の位置に関する位置情報が未確定の状態にあっ
ても上記記録手段による画像情報の上記記録媒体への記録を優先的に行うように制御し、且つ、当該位置情報が確定後、当該位置情報の未確定時に記録された一乃至一連の複数の画像情報に対応付けてその確定位置情報を上記記録媒体に記録するように制御する制御手段を備えたカメラ。
この構成によれば、取り敢えず撮影記録動作は優先的に許可されるためシャッターチャンスを逃すことはなくなり、又一方で、位置に関する情報もその確定後に既記録の画像情報に対応づけて記録されるため、位置に関する情報の記録洩れが無い。
【０１３３】
（５）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを対応付けて所定の記録媒体に記録する記録手段とを備えたカメラにおいて、
上記位置計測手段により計測される自己の位置に関する位置情報が未確定の状態にあっても上記記録手段による画像情報の上記記録媒体への記録を優先的に行うように制御し、且つ、当該位置情報が確定されて上記記録媒体に記録されるまでは以降の記録手段による画像情報の上記記録媒体への記録を禁止するように制御する制御手段を備えたカメラ。
この構成によれば、取り敢えず撮影記録動作は優先的に許可されるためシャッターチャンスを逃すことはなくなる。又、位置に関する情報もその確定後に既記録の画像情報に対応づけて記録されるが、このときその位置に関する情報が確定して出力されるまでは以降の新たな撮影記録動作を禁止しているため、誤って、位置に関する情報の記録洩れを引き起こすといったことが極力解消される。
【０１３４】
（６）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを対応付けて所定の記録媒体に記録する記録手段とを備えたカメラにおいて、
上記位置計測手段により計測される自己の位置に関する位置情報が未確定の状態にあっても上記記録手段による画像情報の上記記録媒体への記録を優先的に行うように制御し、且つ、当該位置情報が確定されて上記記録媒体に記録されるまでは当該カメラの電源遮断を禁止するように制御する制御手段を備えたカメラ。
この構成によれば、取り敢えず撮影記録動作は優先的に許可されるためシャッターチャンスを逃すことはなくなる。又、位置に関する情報もその確定後に既記録の画像情報に対応づけて記録されるが、このときその位置に関する情報が確定して出力されるまでは以降の新たな撮影記録動作を禁止し、更に、その位置に関する情報が確定して出力されるまでは電源の遮断処理も禁止しているため、誤って、或いは不用意に、位置に関する情報の記録洩れを引き起こすといったことが確実に解消できる。
【０１３５】
（７）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを対応付けて所定の記録媒体に記録する記録手段とを備えたカメラにおいて、
上記位置情報の取得を指示するための操作スイッチと、
上記操作スイッチの入力指示に基づいて取得された上記位置情報を記憶する位置情報記憶手段と、
上記記録手段による画像情報の上記記録媒体への記録時乃至記録後に、上記位置情報記憶手段から位置情報を読出して上記記録媒体に記録するように制御する制御手段とを備えたカメラ。
この構成によれば、位置に関する情報の検出タイミングを操作者に任せ、又、撮影の前に位置に関する情報を検出し、且つ、これを記憶させておくだけで良いため、１か所で多数枚の撮影を行う場合など、撮影の度ごとにいちいち、人工衛星と通信を行うといった位置に関する情報を検出する煩わしさが解消され、操作性が向上する。又、撮影記録に当たっては、位置に関する情報を記憶手段から読み出すだけで画像情報と共に記録媒体に位置に関する情報の記録が簡単にできるため、撮影記録時の時間短縮による迅速性、更には、この時間短縮による電源の節約等が期待できる。とりわけ、人工衛星との交信に要する回数が減るため、その分、位置計測手段に対するトータルでの給電時間も減少して電源の節約には大幅に貢献できる。
【０１３６】
（８）上記制御手段は、上記位置情報がその対応すべき画像情報に対して実質的に異なる時点にて上記記録媒体に記録されたことを検出したとき、上記記録手段がその記録時間差を上記記録媒体に記録するように制御する手段を更に含む（４）、（５）、（６）又は（７）のカメラ。
この構成によれば、取り敢えず撮影記録動作は優先的に許可されるためシャッターチャンスを逃すことはなくなる。又、位置に関する情報もその確定後に既記録の画像情報に対応づけて記録されるが、このときその位置に関する情報と共に、その位置に関する情報の記録時点と画像情報の記録時点との時間的ずれもデータとして記録されるため、例えば、移動しながら撮影記録した画像情報についてはより正確な位置に関する情報の推定も可能となる。
【０１３７】
（９）上記カメラは、上記位置情報がその対応すべき画像情報に対して実質的に異なる時点にて上記記録媒体に記録されたときその記録時間差を表わす表示手段を更に備えた（４）、（５）、（６）又は（７）のカメラ。
この構成によれば、画像情報の再生時に操作者が時間差情報を即座に認識するためのユーザインターフェースを提供することが可能となり、移動しながら撮影記録した画像情報についての位置に関する情報の推定も行いやすくなる。
【０１３８】
（１０）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを対応付けて所定の記録媒体に記録する記録手段とを備えたカメラにおいて、
当該カメラの電源としてのバッテリの残量を検出するバッテリ残量検出手段と、上記記録手段による上記位置情報の記録媒体への記録の状況を判別する記録状況判別手段と、
上記バッテリ残量検出手段によるバッテリ残量検出結果が所定の量以下であると検出され、且つ、上記記録状況判別手段により上記位置情報が未記録状態であると判別されたとき、上記位置情報の記録に係る回路系のみに上記バッテリからの給電を行なうように制御する制御手段とを備えたカメラ。
この構成によれば、バッテリーの残量が少なくなり、カメラが動作限界に達したときでも、位置に関する情報の記録が記録媒体に対して未だ行われていない場合には、少なくともこの位置に関する情報の記録動作に関与する回路系に対しては給電を行うことにより、常に、位置に関する情報の記録を保証するものである。従って、残り少ない電源を有効に活用しつつ、位置に関する情報の記録が確実に行える。
【０１３９】
（１１）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを対応付けて所定の記録媒体に記録する記録手段とを備えたカメラにおいて、
上記位置計測手段により計測される自己の位置に関する位置情報が確定するまでは上記記録手段による画像情報の上記記録媒体への記録を禁止するように制御する位置情報優先モードと、上記位置計測手段により計測される自己の位置に関する位置情報が未確定の状態にあっても上記記録手段による画像情報の上記記録媒体への記録を優先的に行うように制御し、且つ、当該位置情報が確定後、当該位置情報の未確定時に記録された一乃至一連の複数の画像情報に対応付けてその確定位置情報を上記記録媒体に記録するように制御する画像情報優先モードの何れか一のモードで動作を行なうように制御する制御手段を備えたカメラ。
この構成によれば、操作者は、そのときのカメラの利用場面或いは使用目的に応じて、位置に関する情報の正確性を要求する撮影記録の場面では位置情報優先モードを選択し、又、シャッターチャンス或いは速写性等を要求する撮影記録の場面では画像情報優先モードを選択できるので、位置計測手段（例えば、ＧＰＳセンサユニット）を搭載したカメラの使い勝手が更に向上する。
【０１４０】
（１２）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを対応付けて所定の記録媒体に記録する記録手段とを備えたカメラにおいて、
上記位置計測手段が常時計測を行なう常時動作モードと、上記位置計測手段が撮影記録時に計測を行なう撮影記録時動作モードと、上記位置計測手段に対する入力指示時のみ計測を行なう指示時動作モードのうち何れか一のモードで計測動作を行なうように制御する制御手段を備えたカメラ。
この構成によれば、操作者は、そのときのカメラの利用場面或いは使用目的に応じて、位置計測手段である例えば、ＧＰＳセンサユニットの動作モードを適宜選択することができる。即ち、常時動作させる常時動作モードを選択することにより、常に正確な位置に関する情報が得られると共に被写体に対する速写性を得ることができる。又、撮影記録時のみＧＰＳセンサユニットを動作させる撮影記録時動作モードを選択することにより、常時動作モードに比べてカメラの消費電力を抑えることができる。又、指示時のみＧＰＳセンサユニットを動作させる指示時動作モードを選択することにより、消費電力を大幅に抑えつつ、シャッターチャンスにもある程度強いカメラを得ることができる。
【０１４１】
（１３）人工衛星から送信されたデータを受信し、該受信したデータに基づいて地球上での自己の位置を計測する位置計測手段と、
光学系を介して結像された被写体像に基づく画像情報と上記位置計測手段により計測された自己の位置に関する位置情報とを対応付けて所定の記録媒体に記録する記録手段とを備えたカメラにおいて、
当該カメラの電源スイッチに対するオンオフ動作に依拠することなく上記位置計測手段により計測される自己の位置に関する位置情報の取得に係る回路系にのみ常時給電を行なう給電モードを備えたことを特徴とするカメラ。
この構成によれば、カメラの電源が一旦オフされて、同時に位置計測手段がオフされると、次のカメラの起動時には位置計測手段が正確な位置に関する情報を出力するまでにはかなり時間が掛かり、迅速に撮影記録動作に移れないという問題が生ずるところ、カメラの電源をオフにしても、再起動時には即座に位置計測手段から正確な位置に関する情報を取得できるため、カメラとして、節電を行いつつシャッターチャンスを逃さないというメリットがある。
【０１４２】
（１４）人工衛星から送信されたデータを受信し、該受信したデータに基づいて地球上での自己の位置を計測する位置計測手段を内蔵したデバイス構体をその出力フォーマットが異なるものとして複数種当該カメラに対して着脱自在に適用可能となし、
光学系を介して結像された被写体像に基づく画像情報と上記挿着されたデバイス構体の位置計測手段により計測された自己の位置に関する位置情報とを対応付けて所定の記録媒体に記録する記録手段と、
上記記録手段が上記出力フォーマットを認識して当該位置情報の記録が行えるように、上記挿着されたデバイス構体の種類に応じてその入力インターフェース部を切り換えるように制御する制御手段とを備えたカメラ。
この構成によれば、カメラに接続されたデバイス構体としての位置計測部の種類等を自動的に認識して識別し、このデバイス構体からの出力フォーマットに適合するようにその入力インターフェース部を切り換えるようにしたので、様々な位置計測部を当該カメラに適用することができ、その汎用性を向上させることができる。
【図面の簡単な説明】
【０１４３】
【図１】本発明によるカメラの第１の実施の形態であるディジタルスチルカメラへの適用例を示す構成ブロック図である。
【図２】本発明の第１の実施の形態による図１のシステムコントロールの内部構成を示した図である。
【図３】本発明の第１の実施の形態によるディジタルスチルカメラの基本的な動作シーケンスを示したフローチャートである。
【図４】本発明の第１の実施の形態によるディジタルスチルカメラの撮影モードに係わる動作シーケンスを示したフローチャートである。
【図５】本発明の第１の実施の形態における表示部による具体的な表示例を示した図である。
【図６】本発明の第２の実施の形態によるディジタルスチルカメラの撮影モードに係わる動作シーケンスを示したフローチャートである。
【図７】本発明の第３の実施の形態によるディジタルスチルカメラの入力待機モードに係わる動作シーケンスを示したフローチャートである。
【図８】本発明の第４の実施の形態によるディジタルスチルカメラの撮影モードに係わる動作シーケンスを示したフローチャートである。
【図９】本発明によるカメラの第５の実施の形態であるディジタルスチルカメラへの適用例の要部を示す構成ブロック図である。
【図１０】本発明の第５の実施の形態によるディジタルスチルカメラの撮影モードに係わる動作シーケンスを示したフローチャートである。
【図１１】本発明によるカメラの第６の実施の形態であるディジタルスチルカメラへの適用例の要部を示す構成ブロック図である。
【図１２】本発明の第６の実施の形態によるディジタルスチルカメラの入力待機モードに係わる動作シーケンスを示したフローチャートである。
【図１３】本発明の第６の実施の形態によるディジタルスチルカメラの撮影モードに係わる動作シーケンスを示したフローチャートである。
【図１４】本発明によるカメラの第７の実施の形態であるディジタルスチルカメラへの適用例の要部を示す構成ブロック図である。
【図１５】本発明の第７の実施の形態によるディジタルスチルカメラの撮影モードに係わる動作シーケンスを示したフローチャートである。
【図１６】本発明の第７の実施の形態における表示部による具体的な表示例を示した図である。
【図１７】本発明の第７の実施の形態によるディジタルスチルカメラの再生モードに係わる動作シーケンスを示したフローチャートである。
【図１８】本発明によるカメラの第８の実施の形態であるディジタルスチルカメラへの適用例の要部を示す構成ブロック図である。
【図１９】本発明の第８の実施の形態によるディジタルスチルカメラの入力待機モードに係わる動作シーケンスを示したフローチャートである。
【図２０】本発明によるカメラの第９の実施の形態であるディジタルスチルカメラへの適用例の要部を示す構成ブロック図である。
【図２１】本発明の第９の実施の形態によるディジタルスチルカメラの初期化に係わる動作シーケンスを示したフローチャートである。
【図２２】本発明の第９の実施の形態によるディジタルスチルカメラの入力待機モードに係わる動作シーケンスを示したフローチャートである。
【図２３】本発明によるカメラの第１０の実施の形態であるディジタルスチルカメラへの適用例の要部を示す構成ブロック図である。
【図２４】本発明の第１０の実施の形態によるディジタルスチルカメラの初期化に係わる動作シーケンスを示したフローチャートである。
【図２５】本発明の第１０の実施の形態によるディジタルスチルカメラの入力待機モードに係わる動作シーケンスを示したフローチャートである。
【図２６】本発明によるカメラの第１１の実施の形態であるディジタルスチルカメラへの適用例の要部を示す構成ブロック図である。
【図２７】本発明の第１１の実施の形態によるディジタルスチルカメラの初期化に係わる動作シーケンスを示したフローチャートである。
【図２８】本発明の第１１の実施の形態によるディジタルスチルカメラのパワーオフ処理に係わる動作シーケンスを示したフローチャートである。
【図２９】本発明によるカメラの第１２の実施の形態であるディジタルスチルカメラへの適用例の要部を示す構成ブロック図である。
【図３０】本発明によるカメラの第１２の実施の形態であるディジタルスチルカメラへの適用例の要部を示す別の構成ブロック図である。
【図３１】本発明の第１２の実施の形態によるディジタルスチルカメラの位置計測部の初期化に係わる動作シーケンスを示したフローチャートである。
【図３２】ＧＰＳ利用した一般的なカメラのシステム概念図である。
【符号の説明】
【０１４４】
１          光学系
２          ＣＣＤ
３          撮像プロセス回路
４          Ａ／Ｄ変換回路
５          フレームメモリ
６          ＤＣＴ／ＩＤＣＴ回路
７          コーダ／デコーダ回路
８          補助メモリ
９          ＩＣメモリカードＡ
１０        ＩＣメモリカードＢ
１１        データバスＡ
１２        ディジタルプロセス回路
１３        Ｄ／Ａ変換回路
１４        ビデオバッファ
１５        電子ビューファインダ（ＥＶＦ）
１６        外部端子
１７        メモリコントロール
１８        システムコントロール
１９        キャラクタジェネレータ
２０        表示部
２１        操作部
２２        データバスＢ
２３        データ入出力部
２４        位置計測部（ＧＰＳセンサユニット）
２５        バッテリ残量検出部
【図１】
2008141775.tif 000003
【図２】
2008141775.tif 000004
【図３】
2008141775.tif 000005
【図４】
2008141775.tif 000006
【図５】
2008141775.tif 000007
【図６】
2008141775.tif 000008
【図７】
2008141775.tif 000009
【図８】
2008141775.tif 000010
【図９】
2008141775.tif 000011
【図１０】
2008141775.tif 000012
【図１１】
2008141775.tif 000013
【図１２】
2008141775.tif 000014
【図１３】
2008141775.tif 000015
【図１４】
2008141775.tif 000016
【図１５】
2008141775.tif 000017
【図１６】
2008141775.tif 000018
【図１７】
2008141775.tif 000019
【図１８】
2008141775.tif 000020
【図１９】
2008141775.tif 000021
【図２０】
2008141775.tif 000022
【図２１】
2008141775.tif 000023
【図２２】
2008141775.tif 000024
【図２３】
2008141775.tif 000025
【図２４】
2008141775.tif 000026
【図２５】
2008141775.tif 000027
【図２６】
2008141775.tif 000028
【図２７】
2008141775.tif 000029
【図２８】
2008141775.tif 000030
【図２９】
2008141775.tif 000031
【図３０】
2008141775.tif 000032
【図３１】
2008141775.tif 000033
【図３２】
2008141775.tif 000034